(57)【要約】【課題】大量の魚類の鱗を一度に素早く取ることができ、実用的なドラム式魚類鱗取り装置を提供する。【解決手段】ドラム式魚類鱗取り装置は、支持部１、ドラム２、動力源３及び水管４を備える。支持部１には、ドラム２が枢着され、ドラム２に接続された動力源３と、ドラム２の外側から内側にかけて延伸した水管４とが配置されている。ドラム２は、支持部１に枢着され、複数の導水溝２２及び開口部２３が周縁に設けられ、開口部２３に対応するように配置されたカバー体１２を有し、複数の鱗取り片２５が内縁に配置されている。動力源３は、ドラム２を回転させる。水管４は、ドラム２との間に配置された軸受４１を有し、ドラム２内に延伸され、複数の出水口４３が設けられている。【選択図】図１
0003170408.tif 000002
【実用新案登録請求の範囲】
【請求項１】
支持部と、ドラムと、動力源と水管を備えるドラム式魚類鱗取り装置であって、
前記支持部には、前記ドラムが枢着され、前記ドラムに接続された前記動力源と、前記ドラムの外側から内側にかけて延伸した前記水管と、が配置され、
前記ドラムは、前記支持部に枢着され、複数の導水溝及び開口部が周縁に設けられ、前記開口部に対応するように配置されたカバー体を有し、複数の鱗取り片が内縁に配置され、
前記動力源は、前記ドラムを回転させ、
前記水管は、前記ドラムとの間に配置された軸受を有し、前記ドラム内に延伸されて、複数の出水口が設けられていることを特徴とするドラム式魚類鱗取り装置。
【請求項２】
前記支持部には、前記ドラムの下方に対応するように、底端に鱗収集器を有する案内板が配置されていることを特徴とする請求項１に記載のドラム式魚類鱗取り装置。
【請求項３】
前記鱗取り片は、位置決め片の前端に配置された複数のワイヤブラシを有することを特徴とする請求項１に記載のドラム式魚類鱗取り装置。
【考案の詳細な説明】
【技術分野】
【０００１】
本考案はドラム式魚類鱗取り装置に関し、特に、大量の魚類の鱗を一度に素早く取ることができ、実用的なドラム式魚類鱗取り装置に関する。
【背景技術】
【０００２】
一般に、魚類の外表は鱗により保護されている。鱗は食用に適さないため、魚類を料理したり食べたりするときは予め鱗を取る必要がある。
【０００３】
従来、魚類の鱗は手作業により鱗取り器を用いて取るのが一般的である。しかし、手作業で鱗を取る方法は非常に遅く、大量の魚類の鱗を取る場合、多くの時間がかかる。これに鑑み、鱗取り器を駆動する動力源を有する電動式魚類鱗取り器がメーカにより開発されている。ユーザは、電動式魚類鱗取り器を手で持ち、動力源により鱗取り器を駆動させ、鱗を取る。これにより、時間を短縮し、作業効率を高めることができる。
【０００４】
従来の電動式魚類鱗取り器は、鱗を便利に素早く取ることができるが、実際に使用する際、ユーザは、一度に１匹の魚類の鱗しか取ることができない。１匹の魚類の鱗を取り終えなければ、次の魚類の鱗を取り始めることができないため、大量の魚類の鱗を取る場合、非常に時間がかかる。このように、上述の電動式魚類鱗取り器は、全体的な構造において、改善の余地がある。
【考案の概要】
【考案が解決しようとする課題】
【０００５】
本考案の目的は、大量の魚類の鱗を一度に素早く取ることができ、実用的なドラム式魚類鱗取り装置を提供することにある。
【課題を解決するための手段】
【０００６】
上記課題を解決するために、本考案の第１の形態によれば、支持部、ドラム、動力源及び水管を備えるドラム式魚類鱗取り装置であって、前記支持部には、前記ドラムが枢着され、前記ドラムに接続された前記動力源と、前記ドラムの外側から内側にかけて延伸した前記水管と、が配置され、前記ドラムは、前記支持部に枢着され、複数の導水溝及び開口部が周縁に設けられ、前記開口部に対応するように配置されたカバー体を有し、複数の鱗取り片が内縁に配置され、前記動力源は、前記ドラムを回転させ、前記水管は、前記ドラムとの間に配置された軸受を有し、前記ドラム内に延伸され、複数の出水口が設けられていることを特徴とするドラム式魚類鱗取り装置が提供される。
【０００７】
また、前記支持部には、前記ドラムの下方に対応するように、底端に鱗収集器を有する案内板が配置されていることが好ましい。
【０００８】
また、前記鱗取り片は、位置決め片の前端に配置された複数のワイヤブラシを有することが好ましい。
【考案の効果】
【０００９】
本考案のドラム式魚類鱗取り装置は、大量の魚類の鱗を一度に素早く取ることができるため実用的である。
【図面の簡単な説明】
【００１０】
【図１】本考案の一実施形態によるドラム式魚類鱗取り装置を示す分解斜視図である。
【図２】本考案の一実施形態によるドラム式魚類鱗取り装置を示す側面図である。
【図３】本考案の一実施形態によるドラム式魚類鱗取り装置を示す斜視図である。
【図４】本考案の一実施形態によるドラム式魚類鱗取り装置を使用するときの状態を示す断面図である。
【図５】本考案の一実施形態によるドラム式魚類鱗取り装置を使用するときの状態を示す部分拡大図である。
【図６】本考案の一実施形態によるドラム式魚類鱗取り装置を使用するときの状態を示す断面図である。
【考案を実施するための形態】
【００１１】
図１〜図３を参照する。図１〜図３に示すように、本考案の一実施形態によるドラム式魚類鱗取り装置の支持部１上には、ドラム２と、ドラム２に接続された動力源３と、ドラム２の外側から内側にかけて延伸した水管４と、が配置されている。
【００１２】
支持部１には、ドラム２が枢着されている。支持部１は、側部に、ドラム２に対応するように、位置決め部材１１が配置され、上部に、ドラム２に対応するように、カバー１２が配置され、下部に、ドラム２の下方に対応するように、案内板１３が配置されている。案内板１３の底端には、鱗収集器１３１が配置されている。
【００１３】
ドラム２は、円形又は多角形をなし、支持部１に枢着されている。ドラム２の側辺には、支持部１の位置決め部材１１に対応するように、位置決め部２１が設けられている。ドラム２の周縁には、複数の導水溝２２と、開口部２３と、が設けられ、開口部２３に対応するように、カバー体２４が配置されている。ドラム２の内縁には、複数の鱗取り片２５が配置されている。鱗取り片２５は、位置決め片２５１の前端に、複数のワイヤブラシ２５２が配置されている。
【００１４】
動力源３は、連動部材３１により、ドラム２に接続されている。ドラム２は、動力源３に駆動され回転する。
【００１５】
水管４は、ドラム２との間に配置された軸受４１を有するため、ドラム２が回転しても、水管４が一緒に回転されることがない。水管４上には、開閉弁４２が配置されている。水管４は、ドラム２内に延伸する一方の端部に、複数の出水口４３が配置され、他方の端部に、水ポンプ４４が接続されている。
【００１６】
図４を参照する。図４に示すように、本考案の一実施形態によるドラム式魚類鱗取り装置を実際に使用する際、大量の魚類を、ドラム２の開口部２３から投入し、カバー体２４をかぶせて開口部２３を閉じる。動力源３により、ドラム２を回転させるとともに、水管４上の開閉弁４２を開くと、水ポンプ４４により水が水管４を流れ、ドラム２に配置された各出水口４３から散布される。ドラム２が、動力源３により回転されると、ドラム２の内縁の各鱗取り片２５により魚類の鱗が取られ（図５参照）、水管４の各出水口４３から散布される水により魚類を洗浄する。魚類を洗浄した後の水は、取られた鱗と共に、ドラム２の周縁の各導水溝２２から排出される。魚類の鱗は、水と共にドラム２の下方に対応するように、支持部１に配置された案内板１３の底端に配置された鱗収集器１３１に収集される。図６を参照する。図６に示すように、魚類の鱗を取り終わった後、水管４上の開閉弁４２を閉じて水を止める。ドラム２のカバー体２４を取り外し、開口部２３を露出させる。ドラム２を回転させ、開口部２３を下に向ける。支持部１の位置決め部材１１とドラム２の位置決め部２１とを接続させ、ドラム２が不用意に回転しないように位置決めすると、鱗を取られた魚類が、開口部２３から排出され、案内板１３により収集される。
【００１７】
上述したことから分かるように、本考案のドラム式魚類鱗取り装置は、動力源によりドラムを回転させることで、ドラムの内縁の鱗取り片がドラムに投入された魚類の鱗を取ることができる。このように、ドラム式魚類鱗取り装置は、大量の魚類の鱗を一度に素早く取ることができるため実用的である。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１  支持部
２  ドラム
３  動力源
４  水管
１１  位置決め部材
１２  カバー
１３  案内板
２１  位置決め部
２２  導水溝
２３  開口部
２４  カバー体
２５  鱗取り片
３１  連動部材
４１  軸受
４２  開閉弁
４３  出水口
４４  水ポンプ
１３１  鱗収集器
２５１  位置決め片
２５２  ワイヤブラシ
【図１】
0003170408.tif 000003
【図２】
0003170408.tif 000004
【図３】
0003170408.tif 000005
【図４】
0003170408.tif 000006
【図５】
0003170408.tif 000007
【図６】
0003170408.tif 000008